(57)【要約】【課題】耐久性に優れた磁石付き装身具を提供する。【解決手段】装身具（ブレスレット１）は、一対の環状板２，３と、一対の環状板２，３の間に配された磁石４とを備える。磁石４が、各環状板２，３に設けられた磁石受け部（第１の貫通穴２ａ，３ａ）に嵌め込まれている。【選択図】図１
2020039787.tif 000002
【特許請求の範囲】
【請求項１】
一対の環状板と、前記一対の環状板の間に配された磁石とを備えた装身具であって、
前記磁石が、各環状板に設けられた磁石受け部に嵌め込まれたことを特徴とする装身具。
【請求項２】
前記磁石が球形である請求項１に記載の装身具。
【請求項３】
前記磁石受け部が円筒形の貫通穴である請求項２に記載の装身具。
【請求項４】
各環状板が有端状を成し、各環状板の両端が止め具に固定された請求項１〜３の何れか１項に記載の装身具。
【発明の詳細な説明】
【技術分野】
【０００１】
本発明は、装身具に関し、特に、磁石を有する装身具に関する。
【背景技術】
【０００２】
磁石は、血行を促進して肩こりや筋肉痛を和らげたり、自律神経の働きを良くしたりする作用があることが知られている。このような磁石の健康増進作用に着目して、磁石を有する様々な装身具が提案されている（例えば、下記の特許文献１〜３参照）。
【先行技術文献】
【特許文献】
【０００３】
【特許文献１】実用新案登録第３０２２１００号公報
【特許文献２】実用新案登録第３０２８２２０号公報
【特許文献３】特開２００４−２４２８５２号公報
【発明の概要】
【発明が解決しようとする課題】
【０００４】
上記の特許文献１〜３に記載の装身具（ブレスレット）では、装身具の本体に磁石が接着やろう付けにより固定されている。しかし、このように接着やろう付けによる固定では、耐久性が十分であるとは言えず、衝撃荷重や接着剤の経年劣化等により、磁石が本体から脱落する恐れがある。
【０００５】
そこで、本発明は、耐久性に優れた磁石付き装身具を提供することを目的とする。
【課題を解決するための手段】
【０００６】
前記課題を解決するために、本発明は、一対の環状板と、前記一対の環状板の間に配された磁石とを備えた装身具であって、前記磁石が、各環状板に設けられた磁石受け部に嵌め込まれたことを特徴とする装身具を提供する。
【０００７】
このように、本発明の装身具では、磁石を、一対の環状板の間に配し、各環状板に設けられた磁石受け部に嵌め込んでいる。この場合、磁石が、一対の環状板の磁石受け部に物理的な嵌合により固定されるため、接着剤等で固定する場合と比べて、耐久性を高めることができる。
【０００８】
上記の装身具では、例えば球状の磁石を使用することができる。この場合、磁石受け部は、例えば円筒形の貫通穴で構成することができる。
【０００９】
上記の装身具において、各環状板が有端状（Ｃ形）を成している場合、各環状板の両端を止め具に固定すれば、装身具の強度がさらに高められる。
【発明の効果】
【００１０】
以上のように、本発明によれば、耐久性に優れた磁石付き装身具を得ることができる。
【図面の簡単な説明】
【００１１】
【図１】本発明の一実施形態に係る装身具（ブレスレット）の斜視図である。
【図２】図１の装身具の断面図である。
【図３】図１の装身具の環状板の平面図である。
【図４】他の実施形態に係る装身具の環状板の平面図である。
【図５】さらに他の実施形態に係る装身具の斜視図である。
【図６】図５の装身具の正面図（軸方向から見た図）である。
【図７】図６のＸ方向から見た図である。
【発明を実施するための形態】
【００１２】
以下、本発明の実施の形態を図面に基づいて説明する。
【００１３】
図１に、本実施形態の装身具としてのブレスレット１を示す。このブレスレット１は、一対の環状板２，３と、これらの間に配された複数の磁石４とを備える。
【００１４】
各環状板２，３は、ブレスレット１の軸心方向と平行な円筒状を成し、その周方向一部が分断された有端状（Ｃ形）を成している。環状板２，３は、金属材料、例えば軟磁性金属材料、具体的には鉄あるいは鉄合金で形成されている。一方の環状板２は、他方の環状板３よりも大径である。以下、一方の環状板２を大径環状板２と言い、他方の環状板３を小径環状板３と言う。
【００１５】
大径環状板２及び小径環状板３には、それぞれ磁石受け部としての第１の貫通穴２ａ，３ａが設けられる。本実施形態では、図２に示すように、第１の貫通穴２ａ，３ａが円筒形を成している。図示例では、各環状板２，３のそれぞれに、複数（図１では１１か所）の第１の貫通穴２ａ，３ａが等間隔に設けられる。大径環状板２に設けられた第１の貫通穴２ａと、小径環状板３に設けられた第１の貫通穴３ａとは、同じ周方向位置（半径方向で対向する位置）に設けられている（図２参照）。尚、磁石受け部は貫通穴に限らず、円形の開口部を有する形状、例えば貫通穴の一端を閉塞してなる凹部や、円筒状の凸部とすることもできる。
【００１６】
大径環状板２には、第１の貫通穴２ａとは異なる場所に、第２の貫通穴２ｂが設けられる。本実施形態では、図３に示すように、第２の貫通穴２ｂが、複数の三角形の貫通穴を含む。複数の第２の貫通穴２ｂにより、ブレスレット１の軸心方向（図３の上下方向）に延びる背部２ｃ１と、背部２ｃ１から両側に延びる複数の傾斜部２ｃ２とを有するヘリングボーン形状の模様が形成される。同様に、小径環状板３にも、第２の貫通穴３ｂが設けられる。小径環状板３の第２の貫通穴３ｂは、大径環状板２の第１の貫通穴２ｂと同様の形状を成しており、図３では、小径環状板３に関する符号をカッコ書きで示している。図示例では、大径環状板２に設けられた第２の貫通穴２ｂと、小径環状板３に設けられた第２の貫通穴３ｂとが、同じ周方向位置に設けられている（図２参照）。特に、小径環状板３に第２の貫通穴３ｂを設けることで、手首に装着したときの通気性が向上する。
【００１７】
磁石４は、大径環状板２と小径環状板３との間に配される。図示例では、磁石４が球形を成している。磁石４は、大径環状板２の第１の貫通穴２ａ及び小径環状板３の第１の貫通穴３ｂに嵌め込まれている（図２参照）。図示例では、球形の磁石４が、第１の貫通穴２ａ，３ｂの円形の開口部に嵌め込まれている。また、図示例では、球形の磁石４が、大径環状板２の外周面と小径環状板３の内周面との半径方向間領域に収容されている。すなわち、球形の磁石４は、大径環状板２の外周面から外径側に突出しておらず、また、小径環状板３の内周面から内径側に突出していない。また、図示例では、球形の磁石４が、大径環状板２及び小径環状板３の軸心方向領域に収容されており、大径環状板２及び小径環状面の軸心方向両端から外側に突出していない（図３参照）。
【００１８】
磁石４は、各環状板２，３の第１の貫通穴２ａ，３ｂに嵌め込まれることで固定される。特に、各環状板２，３が軟磁性金属材料（例えば鉄）からなる場合、磁石４と各環状板２，３との吸着力により、磁石４がより強固に固定される。また、本実施形態では、各環状板２，３の弾性力により、各磁石４が半径方向に圧迫されている。すなわち、大径環状板２が縮径しようとする弾性力と、小径環状板３が拡径しようとする弾性力とで、磁石４が圧迫されている。これにより磁石４がさらに強固に固定される。本実施形態では、磁石４が、接着剤等を用いることなく一対の環状板２，３の間に固定されている。言い換えると、一対の環状板２，３が、磁石４を介して、接着剤を用いることなく連結されている。
【００１９】
本発明は、上記の実施形態に限られない。例えば図４に示すように、各環状板２，３の第１の貫通穴２ａ，３ａの間に、複列のヘリングボーン形状の模様が形成されるように、第２の貫通穴２ｂ，３ｂを形成してもよい。
【００２０】
また、図５〜７に示す実施形態では、各環状板２，３の端部が、止め具５に固定されている。止め具５は、例えば磁石で形成される。止め具５は、各環状板２，３の端部の間に配された本体５ａと、本体５ａの外径側端部から周方向両側に延びるフランジ部５ｂとを有する。本体５ａは、各環状板２，３の端部で挟持されている。フランジ部５ｂの端面は、大径環状板２の外周面に当接している。このような止め具５を設けることで、環状板２，３の端部の強度が高められ、ひいてはブレスレット１の強度が高められる。
【００２１】
また、上記の実施形態では、環状板２，３が円筒状である場合を示したが、これに限らず、例えば、一対の環状板を円盤状（ブレスレット１の軸心方向と直交する平板状）としてもよい。また、ブレスレット以外の装身具に、本発明を適用してもよい。
【符号の説明】
【００２２】
１     ブレスレット（装身具）
２，３ 環状板
２ａ，３ａ    第１の貫通穴（磁石受け部）
２ｂ，３ｂ    第２の貫通穴
４     磁石
５     止め具
【図１】
2020039787.tif 000003
【図２】
2020039787.tif 000004
【図３】
2020039787.tif 000005
【図４】
2020039787.tif 000006
【図５】
2020039787.tif 000007
【図６】
2020039787.tif 000008
【図７】
2020039787.tif 000009